【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
少なくとも１つの細長い導体を有し、この少なくとも１つの導体と電気的に接続するようにコネクタが挿通されることができる開口部を有している導管と、
前記開口部と前記少なくとも１つの導体との間に配置され、前記コネクタに電気的に接続されるように配設された導電部材とを具備し、
この導電部材は、導電部材が前記少なくとも１つの導体へのコネクタのアクセスを阻止する第１の位置と、導電部材が前記少なくとも１つの導体へのコネクタの電気的な接続を可能にする第２の位置との間を前記コネクタにより弾性的に変位可能である電力供給分配装置。
【請求項２】
前記部材は、アースコネクタを構成している、請求項１に記載の装置。
【請求項３】
前記部材は、前記開口部に向けて弾性的に付勢されている、請求項１または２に記載の装置。
【請求項４】
前記部材は、前記開口部を閉塞している、請求項１ないし３のうちのいずれか１つの項に記載の装置。
【請求項５】
前記部材は、前記開口部をシールしている、請求項１ないし４のうちのいずれか１つの項に記載の装置。
【請求項６】
前記開口部用の変位可能なフラップを更に具備しており、前記部材は、このフラップの下に位置している、請求項４または５に記載の装置。
【請求項７】
前記開口部は、細長いスロットである、前記すべての請求項のうちのいずれか１つの項に記載の装置。
【請求項８】
前記部材は、シート状表面と、前記導管に係合する支持部分とを有している、前記すべての請求項のうちのいずれか１つの項に記載の装置。
【請求項９】
２つの対向した支持部分を更に具備している、請求項８に記載の装置。
【請求項１０】
前記部分は、翼付き形状のものである、請求項８または９に記載の装置。
【請求項１１】
前記翼は、前記表面に別々に連結された複数の個々の翼部分よりなる、請求項１０に記載の装置。
【請求項１２】
前記すべての請求項のうちのいずれか１つの項に記載の装置と、コネクタとの組合せであって、前記コネクタは、前記導体に係合するように配置された電気接点を有している、組合せ。
【請求項１３】
前記装置は、第１および第２の導体を備えており、前記コネクタは、前記導体にそれぞれ係合するように配置された第１および第２の電気接点を備えている、請求項１２に記載の組合せ。
【請求項１４】
前記接点は、これらが導体から分離される第１の位置と、前記接点が導体と係合される第２の位置との間で回転可能であるアームの両端部に配置されている、請求項１３に記載の組合せ。
【請求項１５】
少なくとも１つの細長い導体を収容している更なる導管を更に具備しており、この更なる導管は、前記導体と電気的に接続すべくデータおよび／または通信コネクタを受入れるように配置された開口部を有している、請求項１ないし１１のうちのいずれか１つの項に記載の電力供給分配装置。
【請求項１６】
前記２つの導管は、ＥＭＩシールドにより分離されている、請求項１６に記載の電力供給分配装置。
【請求項１７】
前記ＥＭＩシールドは、いずれか一方または両方の導管の少なくとも一部により形成されている、請求項１６に記載の電力供給分配装置。
【請求項１８】
データ／通信コネクタは、前記導体に係合するように配置された電気接点を有している、請求項１５ないし１７のうちのいずれか１つの項に記載の組合せ。
【請求項１９】
少なくとも１つの細長い導体を収容していて、この導体と電気的に接続するようにコネクタを受入れるように配置された開口部を有している導管と、
ＥＭＩシールドにより前記導体から分離されたケーブルランと、を具備している電力供給分配装置。
【請求項２０】
前記シールドは、前記導管の少なくとも一部により形成されている、請求項１９に記載の装置。
【請求項２１】
前記シールドは、金属から形成されている、請求項１９または２０に記載の装置。
【請求項２２】
前記シールドは、金属層または金属化層として形成されている、請求項１９または２０に記載の装置。
【請求項２３】
前記導体は、前記一部から絶縁されている、請求項２０に記載の装置。
【請求項２４】
前記導体と前記一部との間に配置された細長い絶縁体を更に具備している、請求項２３に記載の装置。
【請求項２５】
前記シールドは、アースコネクタを構成している、請求項１９ないし２５のうちのいずらか１つの項に記載の装置。
【請求項２６】
前記開口部と導体との間に配置され、前記導体へのアクセスをもたらすように弾性的に変位可能である導電部材を更に具備している、請求項１９ないし２５のうちのいずらか１つの項に記載の装置。
【請求項２７】
前記導電部材は、前記シールドの一部を構成している、請求項２６に記載の装置。
【請求項２８】
前記導電部材と導管とは、一緒になって、前記導体のまわりに導電ループを形成している、請求項２７に記載の装置。
【請求項２９】
前記ケーブルランは、包囲されている、請求項１９ないし２８のうちのいずらか１つの項に記載の装置。
【請求項３０】
前記ケーブルランは、別体の導管として前記導体と平行に形成されている、請求項２９に記載の装置。
【請求項３１】
前記ケーブルランは、データおよび／または通信ケーブルを受けるように配置されている、請求項１９ないし３０のうちのいずれか１つの項に記載の装置。
【請求項３２】
カバーを更に具備しており、このカバーは、データおよび／または通信コネクタを受入れるように配置された少なくとも１つの開口部を有している、請求項３１に記載の装置。
【請求項３３】
電気プラグを受入れるように配置されており、電力供給分配装置の対応する導体に係合するように配置された第１および第２の電気接点を有する電気コネクタであって、前記接点は、これらが電気導体から分離される位置と、前記導体が前記導体と係合するように配置される第２の位置との間で回転可能なアームの両端部に配置されており、このコネクタは、第１及び第２の接点が対応する導体に係合される前に、コネクタを接地するように配置された第３の電気接点をさらに有する電気コネクタ。
【請求項３４】
前記アームの端部は、弾性的に変位可能である、請求項３３に記載のコネクタ。
【請求項３５】
各端部は、フック状形状のものである、請求項３４に記載のコネクタ。
【請求項３６】
前記接点は、弾性的に変位可能である、請求項３３に記載のコネクタ。
【請求項３７】
前記接点の一部は、回転可能なアームの内側に受入れられている、請求項３３または３６に記載のコネクタ。
【請求項３８】
前記回転可能なアームから突出している前記接点の部分は、半球状の形状である、請求項３７に記載のコネクタ。
【請求項３９】
選択された導体とのみの各接点の係合を許容するように配置された手段を更に具備している、請求項３３ないし３８のうちのいずれか１つの項に記載のコネクタ。
【請求項４０】
前記手段は、前記アームの回転軸線に対して片寄っている形成部よりなる、請求項３９に記載のコネクタ。
【請求項４１】
請求項３３ないし４０のうちのいずれか１つの項に記載のコネクタと、電力供給分配装置との組合せであって、前記電力供給分配装置は、少なくとも１つの細長い導体を収容している導管を備えており、前記導管は、前記コネクタが前記導体と電気的に接続するように挿通されることができる開口部を有している、組合せ。
【請求項４２】
前記開口部と前記導体との間に配置され、前記導体へのアクセスをもたらすように前記コネクタにより弾性的に変位可能である導電部材を更に具備している、請求項４１に記載の組合せ。
【請求項４３】
請求項３９または請求項４０に記載のコネクタと、電力供給分配装置との組合せであって、前記電力供給分配装置は、２つの細長い導体を収容している導管を備えており、前記導管は、前記コネクタのアームが挿通されることができる開口部と、前記アームの選択された接点とのみの各導体の係合を許容するように配置された手段とを有している、組合せ。
【請求項４４】
前記手段は、前記開口部に対して片寄っている第１および第２の形成部を備えている、請求項４３に記載の組合せ。
【請求項４５】
第１の位置において前記アームを保護するように配置されたアーム保護手段を更に具備している、請求項３３ないし４０のうちのいずれか１つの項に記載のコネクタ。
【請求項４６】
前記保護手段は、第１および第２の形成部を有し、前記アームは、前記第１の位置では、前記形成部間に位置している、請求項４５に記載のコネクタ。
【請求項４７】
少なくとも１つの細長い導体を収容しており、且つこの導体と電気的に接続するようにコンセントコネクタまたは電気プラグを受入れるように配置された開口部を有する導管に係合するように配置された端末コネクタであって、前記導管の端部および前記導体にすべり接続可能であり、前記導体を幹線電源または他の導管の導体に接続するように配置された手段を有している、端末コネクタ。
【請求項４８】
前記手段は、前記導体の端部と係合するように摺動可能配置された少なくとも１つの接点を有する、請求項４７に記載のコネクタ。
【請求項４９】
前記導体の対向側部に係合するように配置された前記接点を２つ備えている、請求項４８に記載のコネクタ。
【請求項５０】
前記接点は、円筒形導体に係合するように配置されている、請求項４８または４９に記載のコネクタ。
【請求項５１】
前記導体の２つの対向側部に係合するように配置された前記接点を３つ備えている、請求項４８に記載のコネクタ。
【請求項５２】
前記接点は、シート状導体に係合するように配置されている、請求項４９に記載のコネクタ。
【請求項５３】
前記接点は、Ｔ字形導体に係合するように配置されている、請求項４９に記載のコネクタ。
【請求項５４】
前記手段は、前記導管の対応するソケットにすべり受入れ可能であるように配置された少なくとも１つの突起よりなる、請求項４７ないし５３のうちのいずれか１つの項に記載のコネクタ。
【請求項５５】
前記突起は、前記接点を部分的に取り囲んでいる、請求項５２に直接または間接的に従属する請求項５４に記載のコネクタ。
【請求項５６】
前記手段は、前記コネクタの端部とすべり係合するように配置されたチャンネルを形成している、請求項４７に記載のコネクタ。
【請求項５７】
前記手段が前記隣接した導管に接続可能であるように外方に突出すように、互いに接続されている、請求項４７ないし５６のうちのいずれか１つの項に記載の２つのコネクタの組合せ。
【請求項５８】
前記コネクタは、基部材を介して接続されている、請求項５７に記載の組合せ。
【請求項５９】
前記コネクタは、互いに電気的に接続されている、請求項５７または５８に記載の組合せ。
【請求項６０】
少なくとも１つの細長い導体を収容している金属導管を具備しており、この導管は、導体と電気的に接続するようにコネクタを受入れるように配置された開口部を有しており、前記導体は、絶縁体を介して前記導管に接続されており、それにより前記導管は、前記導体用のＥＭＩシールドを構成している、電力分配装置。
【請求項６１】
前記開口部と前記導体との間に配置され、前記導体へのアクセスをもたらすように弾性的に変位可能である導電部材を更に具備している、請求項６０に記載の装置。
【請求項６２】
前記部材は、前記シールドの一部を構成している、請求項６１に記載の装置。
【請求項６３】
前記部材と導管とは、一緒になって、前記導体のまわりに導電ループを構成している、請求項６２に記載の装置。
【請求項６４】
前記シールドにより前記導体から分離されたケーブルランを更に具備している、請求項６０ないし６３のうちのいずれか１つの項に記載の装置。
【請求項６５】
前記シールドにより前記導体から分離された更なる導管を更に具備している、請求項６０ないし６３のうちのいずれか１つの項に記載の装置。
【請求項６６】
前記導管は、少なくとも１つの細長い導体を収容しており、また前記導体と電気的に接続するようにデータおよび／通信コネクタを受入れるように配置された開口部を有している、請求項６５に記載の装置。
【請求項６７】
電気装置に接続するための１つまたはそれ以上の電気ワイヤを受入れるように配置されており、そして電力供給分配装置の対応する導体に係合するように配置された第１および第２の電気接点を有している電気プラグであって、前記接点は、これらが前記導体から分離されるように配置される第１の位置と、前記接点が前記導体と係合するように配置される第２の位置との間で回転可能であるアームの両端部に配置されている、電気プラグ。
【請求項６８】
前記アームの端部は、弾性的に変位可能である、請求項６７に記載の電気プラグ。
【請求項６９】
各端部は、フック状の形状のものである、請求項６７に記載の電気プラグ。
【請求項７０】
前記接点は、弾性的に変位可能である、請求項６７に記載の電気プラグ。
【請求項７１】
選択された導体とのみの各導体の係合を許容するように配置された手段を更に具備している、請求項６７ないし７０のうちのいずれか１つの項に記載の電気プラグ。
【請求項７２】
前記手段は、アームの回転軸線に対して片寄った形成部よりなる、請求項７１に記載の電気プラグ。
【請求項７３】
各接点は、前記電気ワイヤに電気的に接続されている、請求項６７ないし７２のうちのいずれか１つの項に記載の電気プラグ。
【請求項７４】
ＥＭＩシールドにより分離された２つの導管を具備しており、各導管は、少なくとも１つの細長い導体を収容しており、そしてこの導体と電気的に接続するようにコネクタを受入れるように配置された開口部を有している、電力および／または通信信号を分配する装置。
【請求項７５】
通信信号を分配するのに１つの導管が使用される、請求項７４に記載の装置。
【請求項７６】
電力を分配するのに１つの導管が使用される、請求項７４に記載の装置。
【請求項７７】
前記導管中に導電部材を更に具備しており、この導電部材は、電気導管の開口部と導体との間に配置されていて、前記導管の導体へのアクセスをもたらすように前記コネクタにより弾性的に変位可能である、請求項７６に記載の装置。
【請求項７８】
少なくとも１つの導体を有し、この少なくとも１つの導体と電気的に接続するようにコネクタが挿通されることができる開口部を有しているハウジングと、
前記開口部と前記少なくとも１つの導体との間に配置され、前記コネクタに電気的に接続されるように配設された導電部材とを具備し、
この導電部材は、導電部材が前記少なくとも１つの導体へのコネクタのアクセスを阻止する第１の位置と、導電部材が前記少なくとも１つの導体へのコネクタの電気的な接続を可能にする第２の位置との間を前記コネクタにより弾性的に変位可能である電気ソケット。
【請求項７９】
前記導電部材は、アースコネクタを構成している、請求項８０に記載の電気ソケット。
【請求項８０】
前記導電部材は、前記開口部に向けて弾性的に付勢されている、請求項７８または７９に記載の電気ソケット。
【請求項８１】
前記開口部は、細長いスロットである、請求項７８ないし８０のうちのいずれか１つの項に記載の電気ソケット。
【請求項８２】
請求項７８ないし８１のうちのいずれか１つの項に記載の電気ソケットと、導体に係合するように配置された電気接点を有するコネクタとの組合せ。
【請求項８３】
前記ソケットは、第１および第２の導体を備えており、前記コネクタは、前記導体にそれぞれ係合するように配置された第１および第２の電気接点を備えている、請求項８２に記載の組合せ。
【請求項８４】
前記接点は、これらが前記導体から分離される第１の位置と、前記接点が前記導体と係合される第２の位置との間で回転可能なアームの両端部に配置されている、請求項８３に記載の組合せ。
【請求項８５】
少なくとも１つの細長い導体を収容していて、この導体と電気的に接続するようにデータおよび／または通信コネクタを受入れるように配置された開口部を有している導管に係合するように配置されたデータおよび／または通信端末コネクタであって、前記導管の端部および前記コネクタにすべり接続可能であり、前記導体を、通信信号を与えるように配置されたデータおよび／または通信ケーブルに接続するように配置された手段を有している、データおよび／または通信端末コネクタ。
【請求項８６】
前記手段は、前記導体の端部とすべり係合するように配置されたＵ字形端子よりなる、請求項８５に記載の端末コネクタ。
【請求項８７】
請求項１ないし１１、１５ないし１７、１９ないし３０、６０ないし６６、７４ないし７７のうちのいずれか１つの項に記載の装置、請求項１２ないし１４、１８、４１ないし４４、５７ないし５９、８２ないし８４のうちのいずれか１つの項に記載の組合せ、請求項３３ないし４０、４５、４６、４７ないし５６、８５および８６のうちのいずれか１つの項に記載のコネクタ、請求項６７ないし７３のうちのいずれか１つの項に記載の電気プラグ、および／または請求項７８ないし８１のうちのいずれか１つの項に記載の電気ソケットを有する延長ケーブル。